(57)【要約】      （修正有）【課題】パラソル等を固定するポールの下端を風で土台から抜けることを抑制することが可能なポールの固定構造を提供する。【解決手段】ポール１０下端側に回動する棒体４４からなり、先端が前記ポール１０に近接した第一の回転位置から当該棒体４４の先端が前記ポール１０から離れる方向に回転した第二の回転位置までの範囲に回動が規制される１以上の係止部材２０と、ポール１０を固定する固定台であって、前記係止部材２０が第一の回転位置にあるときに前記ポール１０先端及び係止部材２０が通る一方で、前記係止部材２０が第二の回転位置にあるときは前記係止部材２０が通ることができない大きさの穴６１が上面に設けられ、当該穴６１の下方には前記係止部材２０が全て収り、前記第二の回転位置まで開くことができる空間が形成された固定台と、前記係止部材２０を構成する棒体４４を操作する操作部３０とから構成する。【選択図】図５
0003178747.tif 000002
【実用新案登録請求の範囲】
【請求項１】
ポール下端側に設けられる、ポールの長手方向に直交する回転軸回りに回動するように端部が固定される棒体からなり、当該棒体の先端が前記ポールに近接した第一の回転位置から当該棒体の先端が前記ポールから離れる方向に回転した第二の回転位置までの範囲に回動が規制される１以上の係止部材と、
ポールを固定する固定台であって、前記係止部材が第一の回転位置にあるときに前記ポール先端及び係止部材が通る一方で、前記係止部材が第二の回転位置にあるときは前記係止部材が通ることができない大きさの穴が上面に設けられるとともに、当該穴の下方には前記係止部材が全て収り、前記第二の回転位置まで開くことができる空間が形成された固定台と、
前記係止部材を構成する棒体に一部が連結し、他部が前記棒体の回動に連動するように形成されたリンク機構を有する操作部であって、前記他部を操作することで前記係止部材を前記第二の回転位置にある状態から前記第一の回動位置に回動するように操作でき、前記他部は前記係止部材が前記固定台の空間内で第二の回転位置にある状態で前記穴より上方に存するように前記ポールに固定される操作部と
を有する
ポールの固定構造。
【請求項２】
前記ポールの下端に突出し、上方に移動可能に設けられる突出片と、
前記操作部の他部を、前記係止部材が前記第一の回動位置にある状態に保持するとともに、前記突出片と連動し、前記突出片が上方に移動したときに前記他部の保持を解除する閉状態保持部と、
弾性体により前記係止部材が前記第二の回転位置側に回動するように付勢する開状態推進部と
をさらに有する請求項１に記載のポールの固定構造。
【考案の詳細な説明】
【技術分野】
【０００１】
本考案はパラソル、旗、幟を支持するポールを固定する構造に関する。
【背景技術】
【０００２】
海水浴場やカフェテラスなどで用いられるパラソルは、錘などで固定された土台に、パラソルの下端を刺すことで設置される。下端部分は、単に重力で固定されるか、土台側のポール下端が刺さるスリーブの側面にネジ穴を設け、これにボルトでポール下端の側面を押圧することで固定することが一般的である。
【考案の概要】
【考案が解決しようとする課題】
【０００３】
しかし、強風が吹いた場合、パラソルが強い力で上方に押し上げられることがあり、この力により土台からパラソルの下端が抜けてしまい、風でパラソルが舞い上がることがある。このようにパラソルが舞い上がると、重量があるので人や物に当たると大変危険である。同様に、旗、幟などもポールの下端を土台に固定するものであり、風で抜けることがある。
本考案は、このような問題に鑑みて、パラソル等を固定するポールの下端を風で土台から抜けることを抑制することを課題とする。
【課題を解決するための手段】
【０００４】
上記課題を解決するために、本考案は次のような構成を有する。
請求項１に記載の考案は、ポール下端側に設けられる、ポールの長手方向に直交する回転軸回りに回動するように端部が固定される棒体からなり、当該棒体の先端が前記ポールに近接した第一の回転位置から当該棒体の先端が前記ポールから離れる方向に回転した第二の回転位置までの範囲に回動が規制される１以上の係止部材と、ポールを固定する固定台であって、前記係止部材が第一の回転位置にあるときに前記ポール先端及び係止部材が通る一方で、前記係止部材が第二の回転位置にあるときは前記係止部材が通ることができない大きさの穴が上面に設けられるとともに、当該穴の下方には前記係止部材が全て収り、前記第二の回転位置まで開くことができる空間が形成された固定台と、前記係止部材を構成する棒体に一部が連結し、他部が前記棒体の回動に連動するように形成されたリンク機構を有する操作部であって、前記他部を操作することで前記係止部材を前記第二の回転位置にある状態から前記第一の回動位置に回動するように操作でき、前記他部は前記係止部材が前記固定台の空間内で第二の回転位置にある状態で前記穴より上方に存するように前記ポールに固定される操作部とを有するポールの固定構造である。
【０００５】
請求項２に記載の考案は、前記ポールの固定構造において、前記ポールの下端に突出し、上方に移動可能に設けられる突出片と、前記操作部の他部を、前記係止部材が前記第一の回動位置にある状態に保持するとともに、前記突出片と連動し、前記突出片が上方に移動したときに前記他部の保持を解除する閉状態保持部と、弾性体により前記係止部材が前記第二の回転位置側に回動するように付勢する開状態推進部とをさらに有するものである。
【考案の効果】
【０００６】
上記のような構成により本考案は、次のような効果を奏する。
請求項１に記載の考案は、固定台の穴にポール下端と係止部材を挿入し、係止部材を第二の回転位置に開くと、係止部材は固定台の穴から抜けなくなるので、ポールが強風などを受けて抜け出ることを抑制することができる。そして、固定台の穴より上方に存する操作部の他部を操作することで、係止部材を第一の回転位置とすることでポールを固定台から取り出すことができる。
請求項２に記載の考案は、固定台の穴にポール下端と係止部材を挿入し、突出片を固定台の底に押し付けると、突出片が上方に移動して、前記操作部の他部の保持を解除し、係止部材を弾性体により第二の回転位置になるように開く。従って、係止部材を重力などで第二の回転位置になるように開く場合に比較して、より確実に係止部材を第一の回転位置から第二の回転位置にすることができる。
【図面の簡単な説明】
【０００７】
【図１】実施形態に係るパラソルの分解正面図である。
【図２】実施形態に係る係止部材の閉じた状態におけるパラソルのポール下端を示す拡大縦断面図である。
【図３】実施形態に係る係止部材の開いた状態におけるパラソルのポール下端を示す拡大縦断面図である。
【図４】（ａ）は実施形態に係るパラソルの土台部分の平面図であり、（ｂ）は実施形態に係るパラソルの土台部分の縦断面図である。
【図５】（ａ）は実施形態に係るパラソルのポール下端を土台に挿入した状態を示す拡大縦断面図であり、（ｂ）は実施形態に係るパラソルのポール下端を土台に固定状態を示す拡大縦断面図である。
【考案を実施するための形態】
【０００８】
以下、本考案の実施の形態について、図面を参照しながら説明する。
図１に実施形態に係るパラソルＸの分解図を示す。パラソルＸはパラソル本体Ｐと、土台Ｂとから構成される。パラソルＸはポール１０の上端側に傘Ｓが形成され、ポール１０の下端に係合固定部Ｒが形成される。パラソルＸは係合固定部Ｒが土台Ｂに嵌り固定されることで安定した状態に立てることができる。傘Ｓは一般的なパラソルと同じ構造なので説明は省略する。
図２に係合固定部Ｒ部分の閉じた状態を示す拡大縦断面図を示し、図３に係合固定部Ｒ部分の開いた状態を示す拡大縦断面図を示す。係合固定部Ｒは、パイプ体からなるポール１０の下端部、係止部材２０、操作部３０、閉状態保持部４０、開状態推進部５０から構成される。
係止部材２０は、長方形断面の棒体であり、ポール１０下端にポール１０の長手方向に直交する回転軸回りに回動するように端部が固定されている。係止部材２０は、図２に示すようにポール１０に近接してほぼポール１０に平行な回転位置Ａから、図３に示すようにポール１０に対して直角になる回転位置Ｂまで回動するものである。なお、係止部材２０は、回転位置Ｂからさらに回転しないように回転が規制されている。係止部材２０はポール１０の中心軸に対称に４つ設けられている。
【０００９】
操作部３０は、リング３１、操作パイプ３２、第一リンク棒３３、第二リンク棒３４から構成される。リング３１、操作パイプ３２はポール１０下端外周を摺動する円筒体であり、リング３１の上に操作パイプ３２が位置する。なお、操作パイプ３２は後述するようにポール１０の下端が土台Ｂ内に収まったときに土台Ｂの上部から表出するような長さに設定される。第一リンク棒３３は一端が係止部材２０の上方中央近傍に回転可能に固定され、他端がリング３１に回転可能に固定される。第二リンク棒３４は一端が第一リンク棒の中央ややポール１０寄りに回転可能に固定され、他端が操作パイプ３２の下端に回転可能に固定される。このようなリンク機構により、操作パイプ３２を上方に引き上げると、係止部材２０は図２に示すように上方に回動して回転位置Ａに移動し、操作パイプ３２が下方に下がると係止部材２０は図３に示すように下方に回動して回転位置Ｂへ移動する。
開状態推進部５０は、操作部３０のリング３１と操作パイプ３２の間に設けられる圧縮バネにより構成される。図２、図３を比較するとわかるように操作部３０のリンク機構においては、係止部材２０が閉じて回転位置Ａにあるときは、係止部材２０が開いて回転位置Ｂにあるときに比べてリング３１と操作パイプ３２の間隔が狭くなる。従って、リング３１と操作パイプ３２との間に圧縮バネを設けることでリング３１と操作パイプ３２の間隔は広がる方に付勢されるので、結果として係止部材２０は回転位置Ｂに向かうように付勢されることとなる。
【００１０】
閉状態保持部４０は、操作パイプ３２側面に形成される縦に長いスリット状の穴からなる係止穴３２ａ、係止部材２０が回転位置Ａにあるときの、ポール１０の前記係止穴３２ａに重なるように形成されるスリット状の穴からなる表出穴１１、表出穴１１から表出する内部側が鉛直に形成される、底面に表出穴１１から内側に向かって下るように傾斜する切り欠き４２ａが設けられた台形の板体からなる係合板４２、係合板４２をポール１０の内側に固定するとともに、表出穴１１から表出するように付勢する薄板バネ４３、係合板４２の切り欠き４２ａの傾斜に平行な斜面が上端に形成された棒体４４、棒体４４をポール１０中心を摺動するように保持する、ポール１０内壁に固定されるスリーブ４５、棒体４４の下端に固定される円柱体からなる突出片４６、突出片４６とスリーブ４５との間に設けられる圧縮バネ４７から構成される。棒体４４はスリーブ４５上方側に抜け止めの突起４４ａが設けられており、圧縮バネ４７による下方への移動が規制されている。そして、突起４４ａの位置は圧縮バネ４７が突出片４６を下方へ押し出したときに、図２に示すように突出片４６がややポール１０下端から突出するような位置に定められる。さらに、棒体４４の長さは、図２に示すように棒体４４が下方位置に存するときには、上端の斜面が、係合板４２の切り欠き４２aに少しだけ掛かる程度の長さに設定される。この状態においては、係合板４２は表出穴１１から外に突出している。このような構造により、操作部３０の操作パイプ３２を図２に示すように上方に上げると、係合板４２は操作パイプ３２の係止穴３２ａから突出し、これによって操作パイプ３２は下方への移動が規制される。この状態で突出片４６を上方へ移動させると、棒体４４が移動して棒体４４の斜面が係合板４２の切り欠き４２ａ内を上方に移動することで切り欠き４２ａは傾斜に沿って内部へと移動することとなる。これにより係合板４２は内側に没入し、係合板４２と操作パイプ３２の係合穴３２ａとの係合がはずれ、操作パイプ３２は開状態推進部５０により下方に移動し、係止部材２０が図３に示すように回転位置Ｂへ回動する。
【００１１】
次に、土台Bについて説明する。図４（ａ）に土台Bの平面図を示し、図４（ｂ）に土台Ｂの縦断面図を示す。土台Ｂは、扁平な直方体の上に半球体が載ったような形状をした中空のタンクであり、内部に水を入れることで錘としての機能を発揮する。半球状の部分は上方に穴６１が設けられるとともに、穴の下方には十字状の空間６２が形成される。この十字状の空間６２は係止部材２０が回転位置Ａから回転位置Ｂに移動したときに、係止部材２０が動くことができる大きさ及び形状に設定されている。なお、半球状の部分の当該十字状の空間を除く部分は下方の扁平な直方体と連通しており、一部に外部から水を供給するためのキャップが嵌められる給水口６３が設けられる。穴６１は、円筒状のポール１０が嵌合する円形の穴が形成されたスリーブ６１ａが設けられるとともに、図２に示すような回転位置Ａにある係止部材２０が通ることができるように十字状の切り欠きが形成されている。
【００１２】
次に、以上のような構成を有するパラソルＸの使用方法について説明する。最初にパラソル本体Ｐを土台Ｂに設置する場合について説明する。なお、土台Ｂには給水口６３から十分な量の水が入れられているものとする。まず、図１、２に示すように操作部３０の操作パイプ３２は上方にあって係合板４２が操作パイプ３２の係止穴３２ａから突出し操作パイプ３２は下方への移動が規制されているものとする。この状態で、図５（ａ）に示すように、ポール１０の下端側を土台Ｂの穴６１から係止部材２０が穴の十字の切り欠きから通るようにして土台Ｂの十字状の空間６２内へと挿入する。挿入すると閉状態保持部４０の突出片４６が空間６２の底に当たるのでそのまま押し込むことで突出片４６は上方へと移動する。これにより、棒体４４が上方に移動し、これに連動する係合板４２が内部へと没入することで係合板４２と操作パイプ３２の係止穴３２ａとの係合がはずれ、操作パイプ３２は下方に移動可能となり、開状態推進部５０により操作パイプ３２とリング３１との間隔が広がることで、操作部３０のリンク機構により図５（ｂ）に示すように係止部材２０は土台Ｂの空間６２内で自動的に開いて回転位置Ｂに至ることとなる。この状態で係止部材２０は土台Ｂの穴６１から抜けることはできなくなる。
【００１３】
次に、パラソル本体Ｐを土台Ｂから抜く場合の動作について説明する。まず、土台Ｂの上部から表出している操作パイプ３２の上端を持って操作パイプ３２を上方へと引き上げる。これにより開状態推進部５０を構成する圧縮バネは縮み、操作部３０のリンク機構により係止部材２０は閉じて回転位置Ａとなる。この状態でポール１０を少し引き上げると閉状態保持部４０の突出片４６とこれに接合される棒体４４は圧縮バネ４７により下方に移動するので、閉状態保持部４０の係合板４２は薄板バネ４３により外部に突出することとなる。操作パイプ３２は引き上げられているので、突出した係合板４２と操作パイプ３２の係止穴３２ａとは係合し操作パイプ３２は下方への移動が規制され図５（ａ）のような状態となる。その後、ポール１０を土台Ｂの穴６１から引き抜けば、パラソル本体Ｐ
を土台Ｂから分離することができる。
【００１４】
なお、上記実施形態ではパラソルを例示したが、旗や幟を固定するポールの固定構造としても上記説明した構造を適用することができる。
【符号の説明】
【００１５】
Ｘ  パラソル
Ｐ  パラソル本体
Ｂ  土台
１０  ポール
１１  表出穴
２０  係合部材
３０  操作部
３１  リング
３２  操作パイプ
３２ａ  係止穴
３３  第一リンク棒
３４  第二リンク棒
４０  閉状態保持部
４２  係合板
４４  棒体
４６  突出片
５０  開状態推進部
６１  穴
６２  空間
【図１】
0003178747.tif 000003
【図２】
0003178747.tif 000004
【図３】
0003178747.tif 000005
【図４】
0003178747.tif 000006
【図５】
0003178747.tif 000007